(57)【要約】【課題】光ディスク装置等の情報記録再生装置において、記録媒体に記録されているコンテンツのタイトル等を、ユーザが容易に認識することができるタイトルメニュー画面を作成し、記録媒体に記録することができるようにする。【解決手段】情報記録再生装置は、記録媒体に記録されたコンテンツのうち、タイトルに関するデータを有するコンテンツについて、タイトルを背景画像から区別するための枠で囲んで枠付きタイトル画像４１，４２を作成し、タイトルに関するデータを有しないコンテンツについて、タイトルなしのコンテンツの存在を示すブランク枠画像４３を作成する。そして、これら枠付きタイトル画像４１，４２及びブランク枠画像４３を背景画像３０に重畳した画像をタイトルメニュー画面５０として記録媒体に記録して、このタイトルメニュー画面５０をユーザに提示できるようにする。【選択図】  図２
2006127576.tif 000002
【特許請求の範囲】
【請求項１】
光ディスクに記録されているコンテンツのタイトルに関するデータを読み込むタイトル読込手段と、
タイトルメニュー画面を作成する際に利用される背景画像を記憶する背景画像記憶手段と、
前記コンテンツの各タイトルを前記背景画像に重畳したタイトルメニュー画面を作成し、該タイトルメニュー画面を前記光ディスクに記録するタイトルメニュー画面作成手段と、
前記タイトルメニュー画面を前記光ディスクから読み込んで、ユーザに提示するタイトルメニュー画面提示手段とを備えた光ディスク装置において、
前記光ディスクに記録されたコンテンツのうち、前記タイトルに関するデータを有するコンテンツについて、該タイトルを前記背景画像から区別するための枠で囲んで、枠付きタイトル画像を作成する枠付きタイトル画像作成手段と、
前記光ディスクに記録されたコンテンツのうち、前記タイトルに関するデータを有しないコンテンツについて、タイトルなしのコンテンツの存在を示すブランク枠画像を作成するブランク枠画像作成手段とを有し、
前記タイトルメニュー画面作成手段は、前記枠付きタイトル画像及び／又は前記ブランク枠画像を前記背景画像に重畳したタイトルメニュー画面を作成して光ディスクに記録し、
前記タイトルメニュー画面提示手段は、前記枠付きタイトル画像及び／又は前記ブランク枠画像を前記背景画像に重畳したタイトルメニュー画面をユーザに提示することにより、予めタイトルを囲むため枠が形成された画像を背景画像として用いることなく、前記コンテンツのタイトルを枠付きでユーザに提示することを特徴とする光ディスク装置。
【請求項２】
記録媒体に記録されているコンテンツのタイトルに関するデータを読み込むタイトル読込手段と、
前記コンテンツの各タイトルを背景画像に重畳したタイトルメニュー画面を作成し、該タイトルメニュー画面を前記記録媒体に記録するタイトルメニュー画面作成手段とを備えた情報記録再生装置において、
前記記録媒体に記録されたコンテンツのうち、前記タイトルに関するデータを有するコンテンツについて、該タイトルを前記背景画像から区別するための枠で囲んで、枠付きタイトル画像を作成する枠付きタイトル画像作成手段を有し、
前記タイトルメニュー画面作成手段は、前記枠付きタイトル画像を前記背景画像に重畳したタイトルメニュー画面を作成し、前記記録媒体に記録することを特徴とする情報記録再生装置。
【請求項３】
前記記録媒体に記録されたコンテンツのうち、前記タイトルに関するデータを有しないコンテンツについて、タイトルなしのコンテンツの存在を示すブランク枠画像を作成するブランク枠画像作成手段を更に有し、
前記タイトルメニュー画面作成手段は、前記枠付きタイトル画像及び／又はブランク枠画像を前記背景画像に重畳したタイトルメニュー画面を作成し、前記記録媒体に記録することを特徴とする請求項２に記載の情報記録再生装置。
【発明の詳細な説明】
【技術分野】
【０００１】
本発明は、例えば、光ディスクやハードディスク等のような記録媒体に対して情報の記録及び再生を行う情報記録再生装置に関する。
【背景技術】
【０００２】
従来から、ユーザが記録媒体に記録されているコンテンツを容易に確認できるようにするために、コンテンツのタイトルのリストを背景画像に重畳してタイトルメニュー画面を作成し、このタイトルメニュー画面をコンテンツと共に記録媒体に記録する情報記録再生装置が知られている。
【０００３】
このような従来の情報記録再生装置においては、例えば、図６（ａ）に示されるように、予め、画像１３１にタイトルを囲むため枠１３２を重畳して作成した背景画像１３０をＭＰＥＧエンコードして記憶部１１７内に記憶しておき、タイトルメニュー画面を作成する際に利用する。図６（ｂ）に示されるように、背景画像１３０は、タイトルメニュー画面１５０を作成する際に記憶部１１７から読み出され、光ディスク等の記録媒体から読み出されたタイトル１４１，１４２と共にタイトルメニュー画面１５０を形成して記録媒体に記録される。このようにタイトル１４１，１４２を枠で囲んだタイトルメニュー画面１５０を記録媒体に記録しておくことにより、コンテンツのタイトルのリストをユーザに分かり易く提示することが可能となる。なお、メニュー項目の文字列をユーザが容易に認識できるようにした装置として、所定枠内の文字列をスクロール表示するようにした情報処理装置等が知られている（例えば、特許文献１及び特許文献２参照）。
【特許文献１】特開２００１−７５７０２号公報
【特許文献２】特開平５−６７０８２号公報
【発明の開示】
【発明が解決しようとする課題】
【０００４】
しかしながら、図６（ｂ）に示されるようなタイトルメニュー画面１５０を表示する情報記録再生装置においては、予めタイトル１４１，１４２を囲むため枠が形成された背景画像１３０を用いるので、タイトル１４１，１４２を囲むため枠の数とタイトル数が一致せず、タイトルメニュー画面１５０に不必要な枠１５１，１５２が表示される場合があった。このような場合、ユーザは、枠１５１，１５２にタイトルがあるのかないのか一見して把握することが難しかった。また、記録媒体に記録されるコンテンツの中には、タイトルが付けられていないタイトルなしのコンテンツ（又は、文字としてスペース（空白文字）のみが使用されたコンテンツ）が存在する場合があるが、図６（ｂ）に示されるようなタイトルメニュー画面１５０においては、枠１５１，１５２は、コンテンツそのものが存在しないのか、又はタイトルなしのコンテンツが存在するのか判断することができず、ユーザは、タイトルなしコンテンツの存在を把握することができなかった。なお、上述した特許文献１及び特許文献２に開示の内容を適用したとしても、上述した問題を解決することはできない。
【０００５】
本発明は、上記課題を解決するためになされたものであり、記録媒体に記録されているコンテンツのタイトルや、タイトルなしのコンテンツの存在をユーザが容易に認識することができるタイトルメニュー画面を作成し、記録媒体に記録することができる情報記録再生装置を提供することを目的とする。
【課題を解決するための手段】
【０００６】
上記目的を達成するために請求項１の発明は、光ディスクに記録されているコンテンツのタイトルに関するデータを読み込むタイトル読込手段と、タイトルメニュー画面を作成する際に利用される背景画像を記憶する背景画像記憶手段と、前記コンテンツの各タイトルを前記背景画像に重畳したタイトルメニュー画面を作成し、該タイトルメニュー画面を前記光ディスクに記録するタイトルメニュー画面作成手段と、前記タイトルメニュー画面を前記光ディスクから読み込んで、ユーザに提示するタイトルメニュー画面提示手段とを備えた光ディスク装置において、前記光ディスクに記録されたコンテンツのうち、前記タイトルに関するデータを有するコンテンツについて、該タイトルを前記背景画像から区別するための枠で囲んで、枠付きタイトル画像を作成する枠付きタイトル画像作成手段と、前記光ディスクに記録されたコンテンツのうち、前記タイトルに関するデータを有しないコンテンツについて、タイトルなしのコンテンツの存在を示すブランク枠画像を作成するブランク枠画像作成手段とを有し、前記タイトルメニュー画面作成手段は、前記枠付きタイトル画像及び／又は前記ブランク枠画像を前記背景画像に重畳したタイトルメニュー画面を作成して光ディスクに記録し、前記タイトルメニュー画面提示手段は、前記枠付きタイトル画像及び／又は前記ブランク枠画像を前記背景画像に重畳したタイトルメニュー画面をユーザに提示することにより、予めタイトルを囲むため枠が形成された画像を背景画像として用いることなく、前記コンテンツのタイトルを枠付きでユーザに提示することを特徴とする。
【０００７】
請求項２の発明は、記録媒体に記録されているコンテンツのタイトルに関するデータを読み込むタイトル読込手段と、前記コンテンツの各タイトルを背景画像に重畳したタイトルメニュー画面を作成し、該タイトルメニュー画面を前記記録媒体に記録するタイトルメニュー画面作成手段とを備えた情報記録再生装置において、前記記録媒体に記録されたコンテンツのうち、前記タイトルに関するデータを有するコンテンツについて、該タイトルを前記背景画像から区別するための枠で囲んで、枠付きタイトル画像を作成する枠付きタイトル画像作成手段を有し、前記タイトルメニュー画面作成手段は、前記枠付きタイトル画像を前記背景画像に重畳したタイトルメニュー画面を作成し、前記記録媒体に記録することを特徴とする。
【０００８】
請求項３の発明は、請求項２に記載の情報再生装置において、前記記録媒体に記録されたコンテンツのうち、前記タイトルに関するデータを有しないコンテンツについて、タイトルなしのコンテンツの存在を示すブランク枠画像を作成するブランク枠画像作成手段を更に有し、前記タイトルメニュー画面作成手段は、前記枠付きタイトル画像及び／又はブランク枠画像を前記背景画像に重畳したタイトルメニュー画面を作成し、前記記録媒体に記録することを特徴とする。
【発明の効果】
【０００９】
以上のように請求項１の発明によれば、光ディスクに記録されたコンテンツのうち、タイトルに関するデータを有するコンテンツについて、タイトルを背景画像から区別するための枠で囲んで枠付きタイトル画像を作成し、この枠付きタイトル画像を背景画像に重畳した画像をタイトルメニュー画面として光ディスクに記録して、このタイトルメニュー画面をユーザに提示するようにしたので、ユーザはタイトルと背景画像を容易に区別して、コンテンツのタイトルを一目で把握することができる。
【００１０】
また、タイトルメニュー画面に、背景画像として予めタイトルを囲むため枠が形成された背景画像を用いるのではなく、背景画像とは別に枠付きタイトル画像等を作成し、これを背景画像に重畳させてタイトルメニュー画面を作成するので、予めタイトルを囲むため枠が形成された背景画像を用いる場合のように、タイトルを囲むため枠の数とタイトル数が一致せずにタイトルメニュー画面に不必要な枠が表示されることがない。このため、ユーザは、枠の有無により容易にコンテンツのタイトルの有無を把握することができる。また、背景画像として予めタイトルを囲むため枠が形成された背景画像を用いないので、任意の画像を背景画像として用いることができ、容易に背景画像を変更することが可能である。
【００１１】
更に、タイトルに関するデータを有しないコンテンツについて、タイトルなしのコンテンツの存在を示すブランク枠画像を作成し、このブランク枠画像を背景画像に重畳した画像をタイトルメニュー画面として光ディスクに記録して、このタイトルメニュー画面をユーザに提示するようにしたので、ユーザはタイトルなしのコンテンツについても、タイトルメニュー画面でその存在を容易に把握することができる。
【００１２】
請求項２の発明によれば、記録媒体に記録されたコンテンツのうち、タイトルに関するデータを有するコンテンツについて、枠付きタイトル画像を作成し、この枠付きタイトル画像を背景画像に重畳した画像をタイトルメニュー画面として記録媒体に記憶するので、ユーザはこのタイトルメニュー画面が提示された際、記録媒体に記憶されているコンテンツのタイトルを一目で把握することができる。
【００１３】
請求項３の発明によれば、請求項２の効果が得られる他、タイトルに関するデータを有しないコンテンツについて、ブランク枠画像を作成し、このブランク枠画像を背景画像に重畳した画像をタイトルメニュー画面として記録媒体に記憶するので、ユーザはこのタイトルメニュー画面が提示された際、タイトルなしのコンテンツについても、タイトルメニュー画面でその存在を容易に把握することができる。
【発明を実施するための最良の形態】
【００１４】
以下、本発明の一実施形態に係る情報記録再生装置について、光ディスク装置を例にして説明する。図１に示されるように、光ディスク装置１は、例えば、ＤＶＤ−ＲＡＭ、ＤＶＤ±Ｒ、ＤＶＤ±ＲＷ等の光ディスク（記録媒体）２に対して情報の記録及び再生を行う装置であり、光ディスク２に対してデータの読み出し及び書き込みを行う光ピックアップ１１と、ＲＦ信号とディジタル信号の変換等を行うディジタル信号処理部１２と、ディジタル信号処理部１２から入力されたデータをＭＰＥＧデコード等するデコード部１３と、デコード部１３から入力された映像データに所定の処理を施して、接続されたモニタ装置等に出力するＯＳＤ部１４と、リモコン１５と、リモコン１５から送信された信号を受信するリモコン受信部１６と、タイトルメニュー画面を作成する際に利用される背景画像等を記憶する記憶部１７と、光ディスク装置１全体の制御を司る制御部１８とを備えている。
【００１５】
光ピックアップ１１は、半導体レーザ、コリメータレンズ、ビームスプリッタ、対物レンズ、集光レンズ、及びフォトディテクタ等を有しており、半導体レーザからのレーザ光を、コリメータレンズ、ビームスプリッタ及び対物レンズを介して光ディスク２上に集光照射することにより、光ディスク２に対してデータの読み出し及び書き込みを行う。また、光ディスク２からの反射光を対物レンズ、ビームスプリッタ、及び集光レンズを介してフォトディテクタで受光する。フォトディテクタで検出された光の強弱は、ＲＦ信号に変換されディジタル信号処理部１２に出力される。
【００１６】
ディジタル信号処理部１２は、ＲＦ信号とディジタル信号の変換を行うＲＦ信号処理回路と、入力されたディジタル信号に対して８／１６変調又は８／１６復調する８／１６変換回路と、８／１６復調したデータに対してエラー訂正するエラー訂正回路等を備えている。エラー訂正された映像データ等は、デコード部１３でＭＰＥＧデコードされ、ＯＳＤ部１４を介してモニタ出力される。ＯＳＤ部１４は、デコード部１３から入力された映像データに所定の表示画像を重畳する。
【００１７】
リモコン１５は、タイトルメニュー画面を表示する際に操作されるタイトルメニュー表示ボタン等を有しており、ユーザによるボタンの操作に応じた赤外線信号をリモコン受信部１６に送信する。リモコン１５から送信された信号は、リモコン受信部１６を介して制御部１８に入力される。
【００１８】
記憶部（背景画像記憶手段）１７は、図２（ａ）に示されるように、タイトルメニュー画面を作成する際に利用される背景画像として用意された画像３０をＭＰＥＧエンコードした状態で記憶する。なお、図２（ｂ）については後述する。
【００１９】
制御部１８は、不図示のＲＯＭに記憶されているプログラムに従って各種処理を実行し、後述するタイトルメニュー画面作成処理を実行することにより、タイトル読込手段、タイトルメニュー画面作成手段、枠付きタイトル画像作成手段、ブランク枠画像作成手段として機能する。また、制御部１８は、後述するタイトルメニュー画面提示処理を実行することにより、タイトルメニュー画面提示手段として機能する。その他、光ディスク装置１は、光ディスク２を回転させるスピンドルモータ、及び光ピックアップ１１を移動させるトラッキングモータ等を備えており、これらスピンドルモータ及びトラッキングモータは所定のサーボシステムによって制御される。
【００２０】
次に、図３のフローチャートを参照して、タイトルメニュー画面作成処理を説明する。制御部１８は、タイトルメニュー画面作成処理が開始されると、まず、光ディスク２からコンテンツのタイトルに関するデータ（以下、タイトルデータという）を読み込んで（＃１）、光ディスク２に記憶されているコンテンツ数Ｎに応じて、カウンタＩの最大値Ｉｍａｘをセットする（＃２）。そして、光ディスク２に記録されているコンテンツの各タイトルについて、ステップ＃３からステップ＃７のループ処理を実行し、枠付きタイトル画像又はブランク枠画像を作成する。
【００２１】
ステップ＃３からステップ＃７のループ処理において、まず、カウンタＩがＩｍａｘになったか否かが判断される（＃３）。カウンタＩがＩｍａｘになっていない場合（＃３でＮＯ）、Ｉ番目のコンテンツについてタイトルデータが存在するか否かが判断される（＃４）。そして、Ｉ番目のコンテンツについてタイトルデータが存在する場合（＃４でＹＥＳ）、このコンテンツついて、タイトルを背景画像から区別するための枠で囲んで、枠付きタイトル画像を作成し（＃５）、カウンタＩの値をインクリメントする（＃７）。一方、Ｉ番目のコンテンツについてタイトルデータが存在しない場合には（＃４でＮＯ）、タイトルなしのコンテンツの存在を示すブランク枠画像を作成し（＃６）、カウンタＩの値をインクリメントする（＃７）。そして、カウンタＩがＩｍａｘになるまで（＃３でＹＥＳ）、ステップ＃４からステップ＃７までのループ処理を繰り返し、光ディスク２に記録されている全てのコンテンツについて、枠付きタイトル画像及びブランク枠画像を作成する。
【００２２】
全てのコンテンツについて、枠付きタイトル画像及びブランク枠画像が作成されると（＃３でＹＥＳ）、記憶部１７から背景画像３０が読み出され、デコードされる（＃８）。そして、ＯＳＤ部１４で、背景画像３０に枠付きタイトル画像及びブランク枠画像を合成してタイトルメニュー画面を作成し（＃９）、作成されたタイトルメニュー画面を光ディスク２に記録する（＃１０）。
【００２３】
図４に示されるように、光ディスク２に、映像データＡ及びタイトル”入学式”を有するコンテンツ６１と、映像データＢ及びタイトル”運動会”を有するコンテンツ６２と、映像データＣ有するタイトルなしのコンテンツ６３が記録されている場合、上記タイトルメニュー画面作成処理により、コンテンツ６１及びコンテンツ６２について枠付きタイトル画像が作成され、コンテンツ６３についてブランク枠画像が作成される。そして、図２（ｂ）に示されるように、これら枠付きタイトル画像４１，４２及びブランク枠画像４３が背景画像３０に重畳され、タイトルメニュー画面５０が作成される。なお、上記タイトルメニュー画面作成処理は、例えば、光ディスク２を、他のドライブでも認識できるようにするために行われるファイナライズ処理の一環として行われる。
【００２４】
次に、図５を参照して、タイトルメニュー画面提示処理を説明する。制御部１８は、リモコン１５のタイトルメニュー表示ボタンが押下されたか否か監視し（＃２１）、タイトルメニュー表示ボタンが押下されると（＃２１でＹＥＳ）、上記のようにして記録されたタイトルメニュー画面５０を光ディスク２から読み込んで（＃２２）、タイトルメニュー画面５０をモニタ出力する（＃２３）。
【００２５】
以上のように本実施形態の光ディスク装置１によれば、光ディスク２に記録されたコンテンツ６１，６２，６３のうち、タイトルに関するデータを有するコンテンツ６１，６２について、タイトルを背景画像３０から区別するための枠で囲んで枠付きタイトル画像４１，４２を作成し、この枠付きタイトル画像４１，４２を背景画像３０に重畳した画像をタイトルメニュー画面５０として光ディスク２に記録して、このタイトルメニュー画面５０をユーザに提示するようにしたので、ユーザはタイトルと背景画像３０を容易に区別して、コンテンツのタイトルを一目で把握することができる。
【００２６】
また、タイトルメニュー画面５０に、背景画像３０として予めタイトルを囲むため枠が形成された背景画像を用いるのではなく、背景画像３０とは別に枠付きタイトル画像４１，４２等を作成し、これを背景画像３０に重畳させてタイトルメニュー画面５０を作成するので、予めタイトルを囲むため枠が形成された背景画像１３０を用いる図６（ａ）（ｂ）の従来例のように、タイトルを囲むため枠の数とタイトル数が一致せずにタイトルメニュー画面に不必要な枠が表示されることがない。このため、ユーザは、枠の有無により容易にコンテンツのタイトルの有無を把握することができる。また、背景画像３０として予めタイトルを囲むため枠が形成された背景画像を用いないので、任意の画像を背景画像３０として用いることができ、容易に背景画像３０を変更することが可能である。
【００２７】
更に、タイトルに関するデータを有しないコンテンツ６３について、タイトルなしのコンテンツの存在を示すブランク枠画像４３を作成し、このブランク枠画像４３を背景画像３０に重畳した画像をタイトルメニュー画面５０として光ディスク２に記録して、このタイトルメニュー画面５０をユーザに提示するので、ユーザはタイトルなしのコンテンツについても、タイトルメニュー画面５０でその存在を容易に把握することができる。このため、従来例のタイトルメニュー画面１５０の枠１５１，１５２のように、コンテンツそのものが存在しないのか、又はタイトルなしのコンテンツが存在するのか分からなくなることがない。
【００２８】
なお、本発明は上記実施形態の構成に限られることなく種々の変形が可能である。例えば、記録媒体は、光ディスク２でなくてもよく、例えば、ハードディスク等であってもよい。また、背景画像３０として、予め記憶部１７に記憶された画像３０を使用する必要はなく、例えば、光ディスク２に記憶された画像を使用するなど、任意の画像を背景画像３０として用いてもよい。
【図面の簡単な説明】
【００２９】
【図１】本発明の一実施形態に係る光ディスク装置の構成を示すブロック図。
【図２】（ａ）は同装置の記憶部に記憶される背景画像の説明図、（ｂ）は同装置により作成され、モニタ出力されるタイトルメニュー画面の説明図。
【図３】同装置のタイトルメニュー画面作成処理を示すフローチャート。
【図４】光ディスクに記録されたコンテンツ及びタイトルデータの説明図。
【図５】同装置のタイトルメニュー画面提示処理を示すフローチャート。
【図６】（ａ）は従来例における情報記録再生装置のタイトルメニュー画面作成時に使用される背景画像の説明図、（ｂ）は同タイトルメニュー画面の説明図。
【符号の説明】
【００３０】
１    光ディスク装置（情報記録再生装置）
２    光ディスク（記録媒体）
１１  光ピックアップ
１２  ディジタル信号処理部
１３  デコード部
１４  ＯＳＤ部
１５  リモコン
１６  リモコン受信部
１７  記憶部（背景画像記憶手段）
１８  制御部（タイトル読込手段、タイトルメニュー画面作成手段、枠付きタイトル画像作成手段、ブランク枠画像作成手段、タイトルメニュー画面提示手段）
【図１】
2006127576.tif 000003
【図２】
2006127576.tif 000004
【図３】
2006127576.tif 000005
【図４】
2006127576.tif 000006
【図５】
2006127576.tif 000007
【図６】
2006127576.tif 000008